(57)【要約】【課題】本発明は、小型化されたワイヤーハーネスシステムを提供する。【解決手段】車両１２に搭載されるワイヤーハーネスシステム１０であって、複数の電線１１Ａにテープ２５Ａを巻き付けて仮巻き状態の電線束を構成するとともに、仮巻き状態の電線束にテープ２５Ａを巻き付けて構成されるワイヤーハーネス１１と、電線１１Ａに電気的に接続された第１電装品２０と、電線１１Ａに電気的に接続されて、第１電装品２０に対して通電又は断電を実行するスイッチング素子２８を備えると共にワイヤーハーネス１１に取り付けられるスイッチングユニット２７と、を備え、スイッチングユニット２７は、仮巻状態の電線束における１又は複数の電線１１Ａに係止する係止部３７を備えている。【選択図】図１
2014060856.tif 000002
【特許請求の範囲】
【請求項１】
車両に搭載されるワイヤーハーネスシステムであって、
複数の電線に結束部材を巻き付けて仮巻き状態の電線束を構成するとともに、前記仮巻き状態の電線束に結束部材を巻き付けて構成されるワイヤーハーネスと、
前記電線に電気的に接続された第１電装品と、
前記電線に電気的に接続されて、前記第１電装品に対して通電又は断電を実行するスイッチング素子を備えると共に前記ワイヤーハーネスに取り付けられるスイッチングユニットと、を備え、
前記スイッチングユニットは、前記仮巻状態の電線束における１又は複数の前記電線に係止する係止部を備えているワイヤーハーネスシステム。
【請求項２】
前記係止部は、前記１又は複数の電線を間に配して係止する一対の係止片からなる請求項１に記載のワイヤーハーネスシステム。
【請求項３】
前記一対の係止片は、先端部における一対の係止片間の間隔が狭くなるように形成されている請求項１又は請求項２に記載のワイヤーハーネスシステム。
【請求項４】
前記スイッチング素子は、半導体スイッチング素子である請求項１ないし請求項３のいずれか一項に記載のワイヤーハーネスシステム。
【請求項５】
前記スイッチング素子は、メカニカルリレーである請求項１ないし請求項３のいずれか一項に記載のワイヤーハーネスシステム。
【請求項６】
前記ワイヤーハーネスには、前記第１電装品と異なる第２電装品の通電又は断電を実行するスイッチング素子を備えた電気接続箱が接続されている請求項１ないし請求項５のいずれか一項に記載のワイヤーハーネスシステム。
【発明の詳細な説明】
【技術分野】
【０００１】
本発明は、複数の電線を備えたワイヤーハーネスシステムに関する。
【背景技術】
【０００２】
従来、車両には複数の電装品が搭載されており、これらの電装品は、ワイヤーハーネスを介して電源と接続されている。このワイヤーハーネスの一例として特許文献１に記載のものは、車両に搭載されたスイッチング素子によって電装品への通電又は断電が実行されるようになっている。
【先行技術文献】
【特許文献】
【０００３】
【特許文献１】特開２００７−１８６０８２号公報
【発明の概要】
【発明が解決しようとする課題】
【０００４】
近年、車両の高性能化に伴って電装品の個数が増大し、電装品の通電又は断電を実行するスイッチング素子の個数も増大する傾向がある。この場合、電装品に接続されるワイヤーハーネスも大型化するため、スイッチング素子やワイヤーハーネスを収容するための広い空間を車両内に確保する必要がある。
【０００５】
しかし、居住空間の大型化の要請に伴い、車両内においてスイッチング素子やワイヤーハーネスを搭載するためのスペースを確保することは困難になっており、スイッチング素子及びワイヤーハーネスを含むワイヤーハーネスシステムの小型化が求められていた。
【０００６】
本発明は上記のような事情に基づいて完成されたものであって、ワイヤーハーネスシステムを小型化することを目的とする。
【課題を解決するための手段】
【０００７】
本発明は、車両に搭載されるワイヤーハーネスシステムであって、複数の電線に結束部材を巻き付けて仮巻き状態の電線束を構成するとともに、前記仮巻き状態の電線束に結束部材を巻き付けて構成されるワイヤーハーネスと、前記電線に電気的に接続された第１電装品と、前記電線に電気的に接続されて、前記第１電装品に対して通電又は断電を実行するスイッチング素子を備えると共に前記ワイヤーハーネスに取り付けられるスイッチングユニットと、を備え、前記スイッチングユニットは、前記仮巻状態の電線束における１又は複数の前記電線に係止する係止部を備えているワイヤーハーネスシステム。
【０００８】
本発明によれば、第１電装品の通電又は断電を実行するスイッチング素子を備えたスイッチングユニットがワイヤーハーネスに取り付けられているため、ワイヤーハーネスシステムを小型化できる。
【０００９】
また、スイッチングユニットの係止部を仮巻状態の電線束における１又は複数の電線に係止させることで、この仮巻状態から結束部材を巻き付けてワイヤーハーネスを構成する際の作業性を向上させることが可能になる。
【００１０】
本発明の実施態様としては以下の態様が好ましい。
・前記係止部は、前記１又は複数の電線を間に配して係止する一対の係止片からなる。
このようにすれば、簡素な構成でスイッチングユニットの係止部を構成することが可能になる。
【００１１】
・前記一対の係止片は、先端部における一対の係止片間の間隔が狭くなるように形成されている。
このようにすれば、一対の係止片の内側に１又は複数の電線を保持することが容易になる。
【００１２】
・前記スイッチング素子は、半導体スイッチング素子である。
このようにすれば、スイッチング素子は、通電又は断電を実行する際に雑音が発生しないので、搭乗者が搭乗する車室内等にスイッチング素子を配設することができる。これにより、車両内の収容スペースを有効に利用できるので、ワイヤーハーネスシステムを全体として小型化できる。
【００１３】
・前記スイッチング素子は、メカニカルリレーである。
このようにすれば、ワイヤーハーネスの製造コストを低減させることが可能になる。
【００１４】
・前記ワイヤーハーネスには、前記第１電装品と異なる第２電装品の通電又は断電を実行するスイッチング素子を備えた電気接続箱が接続されている。
このようにすれば、電気接続箱に備えられたスイッチング素子によって第２電装品の通電又は断電を実行することができるので、ワイヤーハーネスシステムを多機能化できる。
【発明の効果】
【００１５】
本発明によれば、ワイヤーハーネスシステムを小型化することが可能になる。
【図面の簡単な説明】
【００１６】
【図１】本発明の実施形態１に係るワイヤーハーネスシステムが車両に搭載された状態を示す模式図
【図２】ワイヤーハーネスにスイッチングユニットが取り付けられた状態を示す模式図
【図３】スイッチングユニットを示す正面図
【図４】スイッチングユニットを示す平面図
【図５】スイッチングユニットを示す左側面図
【図６】スイッチングユニットを示す底面図
【図７】スイッチングユニットを示す右側面図
【図８】スイッチングユニットを示す背面図
【図９】スイッチングユニットの分解斜視図
【図１０】ユニット本体を示す正面図
【図１１】ユニット本体を示す側面図
【図１２】仮巻状態の電線束にスイッチングユニットを係止させた状態を模式的に示す図
【図１３】ワイヤーハーネスシステムの電気的構成を概略的に示す図
【図１４】実施形態２のスイッチングユニットを示す正面図
【図１５】スイッチングユニットを示す左側面図
【図１６】スイッチングユニットを示す側断面図
【図１７】スイッチングユニットを示す底面図
【図１８】ユニット本体の分解斜視図
【図１９】ユニット本体を図１８とは異なる方向から示した分解斜視図
【図２０】ユニット本体の分解正面図
【図２１】他の実施形態のスイッチングユニットをプロテクタで覆った状態を模式的に示す図
【図２２】他の実施形態のワイヤーハーネスシステムの電気的構成を概略的に示す図
【図２３】他の実施形態のワイヤーハーネスシステムの電気的構成を概略的に示す図
【発明を実施するための形態】
【００１７】
＜実施形態１＞
実施形態１について、図１ないし図１３を参照しつつ説明する。
本実施形態のワイヤーハーネスシステム１０は、図１に示すように、自動車等の車両１２に搭載されるものであり、電源１７、電気接続箱１８、第１電装品２０及び第２電装品２３の間をワイヤーハーネス１１で接続して構成されている。
【００１８】
（ワイヤーハーネスシステム１０）
車両１２には、搭乗者が搭乗する車室１３が仕切られていおり、車室１３の前方（車室外のエンジンルーム内）には、バッテリやオルタネータ等からなる電源１７と、電源１７に電線１１Ｂを介して接続された電気接続箱１８とが搭載されている。
車室１３は床下を含んで構成されており、この床下にワイヤーハーネス１１が配策されている。
【００１９】
車室１３の前部には、インスツルメントパネル１４が配されている。このインスツルメントパネル１４には、第１電装品２０及び第２電装品２３の少なくとも一つに対して通電又は断電を指示する手動スイッチ１５が配設されている。例えば、手動スイッチ１５は、第１電装品２０であるシートヒータ２１の通電又は断電を操作可能となっており、手動スイッチ１５の操作に応じた信号がこの手動スイッチ１５と電線１１Ａ（信号線）を介して接続された後述するスイッチングユニット２７に与えられる。
【００２０】
手動スイッチ１５に接続された電線１１Ａはインスツルメントパネル１４から床下へと配索されて、複数の電線１１Ａを束ねて構成された電線束と共に束ねられている。なお、手動スイッチ１５に接続された電線１１Ａが前記電線束とは異なる経路で車両１２に配索される構成としてもよい。
【００２１】
電気接続箱１８には、第２電装品２３に対して通電又は断電を実行し、第１電装品２０に対しては通電又は断電を実行しない複数のスイッチング素子１９が図示しない回路基板に実装されている（図１３参照）。このスイッチング素子１９は、半導体リレー及び機械式リレーの双方又は一方でもよい。
【００２２】
第１電装品２０は、同一車種においてのみ使用される個別電装品とされる。個別電装品には、車名が異なる車種にのみ使用される電装品、排気量が異なる車種にのみ使用される電装品、仕様が異なる車種にのみ使用される電装品、及び仕向け地が異なる車種にのみ使用される電装品等を含む。
【００２３】
本実施形態では、第１電装品２０は、シートヒータ２１及び後部座席用ルームライト２２とされているが、これに限らず、例えば、ディアイサ、ＤＲＬシステム、フォグランプ、ホーン、ＰＴＣヒータ等とすることも可能である。
【００２４】
シートヒータ２１は、搭乗者が搭乗する車室１３に取り付けられたシート１６に埋め込まれている。また、後部座席用ルームライト２２は、車室１３内の後部座席の天井部寄りの位置に配設されている。
【００２５】
第２電装品２３は、他車種においても使用される共通電装品とされ、本実施形態ではテールライト２４とされているが、これに限らず、例えば、ワイパモータ、ヘッドライト、ルームライト、セルモータ、ウォッシャポンプ、リアウィンドウ用デフロスタ等とすることも可能である。第２電装品２３は、電気接続箱１８のスイッチング素子１９により通電又は断電が実行される。
【００２６】
「車種」とは、車名の差異、排気量の差異、仕様の差異、及び仕向け地の差異を含む。詳細に説明すると、他車種とは、例えば、車名が異なる場合、車名は同じであるが排気量が異なる場合、車名も排気量も同じであるが仕様が異なる場合、車名も排気量も仕様も同じであるが、仕向け地が異なる場合等を含む。すなわち、「他車種」とは、車名、排気量、仕様、及び仕向け地の少なくとも一つが異なる車両をいう。
【００２７】
（ワイヤーハーネス１１）
ワイヤーハーネス１１は、図２，図１２に模式的に示すように、複数の電線１１Ａが束ねられた電線束に対して一方の面に粘着剤が塗布されたテープ２５（「結束部材」の一例）を捲回させる（巻き付ける）ことによって形成される。このワイヤーハーネス１１は、複数の電線１１Ａが露出する程度にテープ２５Ａを巻き付けて仮巻き状態の電線束（図１２）を構成するとともに、仮巻き状態の電線束に更にテープ２５Ｂを電線１１Ａが露出しないように本巻きした構成となっている（図２）。なお、仮巻きする際のテープ２５Ａと本巻きする際のテープ２５Ｂは、同一のテープ２５が用いられているが、異なるテープを用いることも可能である。
【００２８】
電線１１Ａは、芯線（図示せず）の外周を、合成樹脂製の絶縁層で被覆してなる。芯線は、金属、カーボンナノチューブ等の導電性の材料からなる。本実施形態においては、金属細線を撚り合わせてなる撚り線が用いられている。撚り線に用いられる金属としては、銅、銅合金、アルミニウム、アルミニウム合金、鉄、鉄合金等、必要に応じて任意の金属を適宜に選択できる。本実施形態では芯線は、銅又は銅合金が用いられる。
【００２９】
ワイヤーハーネス１１は、車両１２の床下、ピラー内等、必要に応じて任意の位置に配索されるものである。本実施形態においては、ワイヤーハーネス１１は、車両１２の床下（車室内におけるシートよりも下側の図示しない樹脂ケースの内側）を通るように配索されている。
【００３０】
このワイヤーハーネス１１は複数箇所で分岐されており、この分岐された電線１１Ａ（ワイヤーハーネス）の端末には、第１電装品２０及び第２電装品２３がそれぞれ接続されている。
【００３１】
電源１７とスイッチング素子１９，２８とは、図１３に示すように、ヒューズ２６を介して電気的に接続されている。このヒューズ２６は、金属導体により形成されたヒューズでもよく、また、電気回路によって実現された過電流保護機能による過電流遮断装置であってもよく、また、スイッチング素子を制御するプログラムによって実現された過電流保護機能であってもよい。
【００３２】
第１電装品２０の通電又は断電を行うスイッチング素子２８のオンオフの信号は、電気接続箱１８を通らず、手動スイッチ１５から直接行われる。
これにより、インスツルメントパネル１４に配設された手動スイッチ１５によって第１電装品２０の通電又は断電が指示されると、手動スイッチ１５からの信号は、（ワイヤーハーネス間の距離が長い）電気接続箱１８を経由せずに（ワイヤーハーネス間の距離が短い）スイッチング素子２８に直接的に与えられ、スイッチング素子２８をオンオフする。
【００３３】
（スイッチングユニット２７）
ワイヤーハーネス１１には、図１，図３に示すように、スイッチング素子２８を備えるスイッチングユニット２７が電線束を構成する電線１１Ａの端末部に接続されている。
スイッチングユニット２７は、図９に示すように、ユニット本体２９と、ユニット本体２９を収容するケース３６とを備える。
【００３４】
ユニット本体２９は、スイッチング素子２８が実装された回路基板３０と、回路基板３０に電気的に接続されたコネクタハウジング３３とを備える。
回路基板３０は、絶縁基板に、プリント配線技術により図示しない導電路が形成されてなる。回路基板３０には、図１１に示すように、コネクタハウジング３３が取り付けられた第１面３１と、第１面３１に対する裏面であってスイッチング素子２８が実装された第２面３２とを備える。
【００３５】
回路基板３０の第２面３２には、スイッチング素子２８が回路基板３０に形成された導電路にはんだ付け等の公知の手法により電気的に接続されている。本実施形態においては、回路基板３０の第２面３２には、２つのスイッチング素子２８が横並びに配設されている。なお、スイッチングユニット２７に備えられるスイッチング素子２８は、１つでもよく、また、３つ以上の複数であってもよい。
スイッチング素子２８は、ＭＯＳＦＥＴ等からなる半導体スイッチング素子であって、第１電装品２０に対して通電又は断電を実行する。
【００３６】
コネクタハウジング３３は合成樹脂製であって、相手側の雄コネクタと嵌合する雌形の嵌合部３４を備える。嵌合部３４には肉薄の棒状をなす複数の金属製の端子２９Ａが貫通されている。端子２９Ａの一端側は嵌合部３４の内部に保持され、端子２９Ａの他端側は嵌合部３４を貫通してコネクタハウジング３３の後方に突出するとともに、回路基板３０に向けて略直角に曲げ加工されてスルーホールに挿通されている。端子２９Ａは、スルーホール内ではんだ付け等の公知の手法により、回路基板３０の導電路と電気的に接続されている。
【００３７】
嵌合部３４には、電線１１Ａの端末部に取付られた雄コネクタが装着される。具体的には、例えば、一端側が電装品２０，２３に接続された電線１１Ａの他端側に接続されたコネクタや、一端側が手動スイッチ１５に接続された電線１１Ａの他端側に接続されたコネクタ等が装着される。
なお、本実施形態では、嵌合部３４を雌形とし、相手側の雄コネクタと嵌合することとしたが、他の実施形態として、嵌合部を雄形とし、相手側の雌コネクタと嵌合するようにしてもよい。また、電線の端末部に取付られた雄端子と雌端子のいずれか一方が嵌合部に収容されるようにしてもよい。
【００３８】
ケース３６は合成樹脂製であって、図９に示すように、有底の筒状をなすケース本体３６Ａと、電線束を構成する一又は複数の電線１１Ａに係止する係止部３７とを略角備えている。
係止部３７は、ケース３６の４つの側壁のうち、第１面３１と対向する側壁の外面側に外方に突出しており、一対の係止片３８，３８を有する。
【００３９】
一対の係止片３８，３８は、外方側に膨らむように円弧状に湾曲した板状の部材からなり、その内面が１又は複数の電線１１Ａを嵌め入れる凹状面３９，３９とされている。この一対の係止片３８，３８の形状（凹状面の曲率）、及び、一対の係止片３８，３８間の寸法は、この内側に保持させる電線１１Ａの径及び本数等に応じて定められる。
【００４０】
具体的には、一対の係止片３８，３８を、例えば、１本の電線１１Ａを一対の係止片３８，３８間に係止可能な形状及び寸法としたり、複数の電線１１Ａを一対の係止片３８，３８間に係止可能な形状及び寸法とすることができる。なお、３本以上の電線１１Ａを一対の係止片３８，３８の内側に嵌め入れる場合には、３本以上の電線１１Ａを束ねた状態で嵌め入れることが可能な形状及び寸法とされる。
【００４１】
一対の係止片３８，３８は、ユニット本体２９のケース３６への挿通（嵌合）方向に沿う方向に延びており、ケース３６の側面のうち、前記挿通方向の端部を除いたほぼ全長に亘って設けられている。なお、本実施形態では、一対の係止片３８，３８は一組であるが、１つのスイッチングユニット２７について複数組設けるようにしてもよい。例えば、一対の係止片の延出方向が同じ複数組の一対の係止片を設けるようにしてもよい。
【００４２】
ケース３６は、ユニット本体２９の嵌合部３４側の外周（外縁）を内側に圧入してユニット本体２９のケース３６への嵌合状態を保持したり、ロック機構を設けてユニット本体２９のケース３６への嵌合状態を保持するようにしてもよい。このロック機構は公知の形状を用いることができ、例えば、一方から突出する弾性爪片が他方の凹部に嵌め入れられて保持されるようにしてもよい。
【００４３】
複数のスイッチングユニット２７のうち、シートヒータ２１に対して通電又は断電を実行するスイッチング素子２８を備えたスイッチングユニット２７Ａは、図１に示すように、車室１３に配されたシート１６の下方において、ワイヤーハーネス１１からシートヒータ２１へ電線１１Ａが分岐される分岐部３５の近傍に配設されている。
【００４４】
同様に、複数のスイッチングユニット２７のうち、後部座席用ルームライト２２に対して通電又は断電を実行するスイッチング素子２８を備えたスイッチングユニット２７Ｂは、ワイヤーハーネス１１から後部座席用ルームライト２２へ電線１１Ａが分岐される分岐部３５の近傍に配設されている。
スイッチングユニット２７は、電線束を結束するテープ２５によって、電線束と共に結束されることで電線束に対して位置が固定されている。
【００４５】
（スイッチングユニット２７の電線束への取付方法）
複数本の電線１１Ａを束ねて構成された電線束に対して、その延出方向における所定間隔毎にテープ２５Ａを複数回巻き付けて仮巻状態の電線束を形成する（図１２）。なお、テープ２５Ａの仮巻の仕方については、これに限られない。例えば、電線１１Ａが露出する程度に螺旋状にテープ２５を（分断することなく）巻き付けて、仮巻状態の電線束を形成するようにしてもよい。
【００４６】
次に、電線１１Ａの端末部に取り付けられたスイッチングユニット２７について、一対の係止片３８，３８が１又は複数の電線１１Ａを挟むように電線１１Ａに係止させる。
【００４７】
次に、仮巻状態の電線束に対して、更にテープ２５Ｂを巻き付けて本巻き状態の電線束を形成する（図２）。このときは、内部の電線１１Ａが露出しないようにテープ２５Ｂを巻き付けていく。この本巻きの際には、スイッチングユニット２７が仮巻状態の電線束における１又は複数の電線１１Ａに係止されているため、スイッチングユニット２７を位置決めしつつテープ巻きを容易に行うことができる。
【００４８】
なお、本実施形態では、本巻きの際には、スイッチングユニット２７がテープ２５Ｂに隠れる程度に巻き付けられている（テープに埋設されている）が、これに限らず、本巻き状態においてスイッチングユニット２７の一部又は全部が露出するようにテープ巻きしてもよい。
【００４９】
本実施形態によれば、以下の作用、効果を奏する。
（１）本実施形態によれば、第１電装品２０の通電又は断電を実行するスイッチング素子２８を備えたスイッチングユニット２７がワイヤーハーネス１１に取り付けられているため、ワイヤーハーネスシステム１０を小型化できる。
また、スイッチングユニット２７の係止部３７を仮巻状態の電線束における１又は複数の電線１１Ａに係止させることで、この仮巻状態からテープ２５（結束部材）を巻き付けてワイヤーハーネス１１を構成する際の作業性を向上させることが可能になる。
【００５０】
（２）係止部３７は、１又は複数の電線１１Ａを間に配して係止する一対の係止片３８，３８からなる。
このようにすれば、簡素な構成でスイッチングユニット２７の係止部３７を構成することが可能になる。
【００５１】
（３）一対の係止片３８，３８は、先端部における一対の係止片３８，３８間の間隔が狭くなるように形成されている。
このようにすれば、一対の係止片３８，３８の内側に１又は複数の電線１１Ａを保持することが容易になる。
【００５２】
（４）スイッチング素子２８は、半導体スイッチング素子であり、車両１２には搭乗者が搭乗する車室１３が設けられており、スイッチングユニット２７は車室１３に配設されている。
このようにすれば、スイッチング素子２８は、通電又は断電を実行する際に雑音が発生しないので、搭乗者が搭乗する車室１３内に配設することができる。これにより、車両１２内の収容スペースを有効に利用できるので、ワイヤーハーネスシステム１０を全体として小型化できる。
【００５３】
（５）ワイヤーハーネス１１には、第１電装品２０と異なる第２電装品２３の通電又は断電を実行するスイッチング素子１９を備えた電気接続箱１８が接続されている。
このようにすれば、電気接続箱１８に備えられたスイッチング素子１９によって第２電装品２３の通電又は断電を実行することができるので、ワイヤーハーネスシステム１０を多機能化できる。
【００５４】
＜実施形態２＞
次に、本発明の実施形態２について、図１４ないし図２０を参照しつつ説明する。実施形態２のスイッチングユニット４０は、実施形態１のスイッチング素子２８に代えてメカニカルリレー４１を搭載したものである。以下では、実施形態１と同一の構成については同一の符号を付して説明を省略する。
【００５５】
スイッチングユニット４０は、図１６に示すように、ユニット本体４２と、ユニット本体４２を収容するケース５２とを備える。
【００５６】
ユニット本体４２は、メカニカルリレー４１及び電子部品４４が実装された回路部４３と、回路部４３を保持する合成樹脂製の基部４６と、相手側コネクタと嵌合するフード状の嵌合部５０とを備える。
メカニカルリレー４１は、コイルに電流を流して接点部を開閉するものであり、周知構成のものを用いることができる。
電子部品４４は、抵抗等の部品からなる。
回路部４３は、バスバー端子５１が一体に形成されるとともに、メカニカルリレー４１及び電子部品４４の端子が挿通される複数のスルーホール４３Ａが形成されている。
バスバー端子５１は、嵌合部５０の奥壁に設けられた端子挿通孔５０Ｂに圧入されている。
【００５７】
本実施形態においては、回路部４３には、２つのメカニカルリレー４１がユニット本体４２のケース５２への挿通方向に並んで配されている。なお、スイッチングユニット４０に備えられるメカニカルリレー４１は、１つでもよく、また、３つ以上の複数であってもよい。
メカニカルリレー４１は、第１電装品２０に対して通電又は断電を実行する。
【００５８】
基部４６は、図１８に示すように、箱形であって、例えば、モールド成形により、回路部４３のメカニカルリレー４１及び電子部品４４側を仕切る仕切り壁４７が形成されている。基部４６におけるメカニカルリレー４１及び電子部品４４が実装される面とは反対側の面には、図１９に示すように、メカニカルリレー４１及び電子部品４４等の端子が挿通されるスルーホール４３Ａに連なる位置に半田溜まり４９が凹設されている。
【００５９】
嵌合部５０側の仕切り壁４７には、嵌合部５０内に挿通されるバスバー端子５１が貫通している。
ケース５２は、合成樹脂製であって、図１６に示すように、有底の筒状をなすケース本体５３と、電線束を構成する一又は複数の電線１１Ａに係止する係止部５４とを備えている。
係止部５４は、ケース５２の４つの側壁のうちの１つの側壁の外面から外方側に突出しており、一対の係止片５５，５５を有する。
【００６０】
一対の係止片５５，５５は、図１７に示すように、円弧状に湾曲した板状の部材からなり、その内面側は、１又は複数の電線１１Ａを嵌め入れる凹状面５６，５６とされている。この一対の係止片５５，５５間の形状（凹状面の曲率）、及び、一対の係止片５５，５５間の寸法は、この内側に保持させる電線１１Ａの径及び本数によって定められることは実施形態１と同様である。
【００６１】
一対の係止片５５，５５は、ユニット本体４２のケース５２への挿通（嵌合）方向に沿う方向に延びており、ケース５２の側面のうち、前記挿通方向の端部を除いたほぼ全長に亘って設けられている。なお、本実施形態では、一対の係止片５５，５５は一組であるが、１つのスイッチングユニット４０について複数組設けるようにしてもよい。例えば、一対の係止片の延出方向が同じ複数組の一対の係止片を設けるようにしてもよい。
【００６２】
嵌合部５０は、回路部４３のバスバー端子５１側に装着されるものであり、嵌合部５０の外面には、図１８に示すように係止凸部５０Ａが設けられており、ケース５２の内面に形成された係止孔５２Ａの孔縁に係止してユニット本体４２のケース５２への抜け止めがなされている。
実施形態２によれば、スイッチング素子は、比較的安価なメカニカルリレー４１であるため、ワイヤーハーネス１１の製造コストを低減させることが可能になる。
【００６３】
＜他の実施形態＞
本発明は上記記述及び図面によって説明した実施形態に限定されるものではなく、例えば次のような実施形態も本発明の技術的範囲に含まれる。
（１）図２１に模式的に示すように、ワイヤーハーネス１１の外周を包囲するプロテクタ５７を配し、このプロテクタ５７内にスイッチングユニット２７を、ボルト止め、接着剤等の公知の手法により固定するようにしてもよい。プロテクタ５７は、合成樹脂、金属等、必要に応じて任意の材料を適宜に選択できる。
【００６４】
（２）上記実施形態では、ワイヤーハーネスシステム１０は、電気接続箱１８を備えていたが、電気接続箱１８を有しないワイヤーハーネスシステムとしてもよい。例えば、図２２に示すように、電気接続箱１８を備えず、複数の着脱可能なヒューズ２６が並列に配置されたヒューズブロック５８を備えるようにし、ヒューズブロック５８の各ヒューズ２６を介して各種電装品２０，２３に電気的に接続されるとともに、各種電装品２０，２３に対応して設けられたスイッチングユニット２７のスイッチング素子２８を過電流遮断機能等によりオンオフするようにしてもよい。
【００６５】
過電流保護機能は、スイッチング素子に形成された電気回路、又はスイッチングユニットに形成された電気回路によって実現されたものであってもよく、また、スイッチング素子の通電又は断電を制御するプログラムによって実現されたものであってもよい。
また、図２３に示すように、並列に接続された複数の電源１７，１７間に、一つのヒューズ２６を着脱可能に接続し、その下流側の電線を分岐させて、各種電装品２０，２３及びスイッチングユニット２７のスイッチング素子２８を並列に接続するようにしてもよい。
【００６６】
（３）結束部材は結束バンドでもよい。結束バンドは合成樹脂製でもよく、金属製であってもよい。結束バンドは、複数の電線を束ねるために用いられている公知形状ものを用いることができる。
【００６７】
（４）手動スイッチ１５は、インスツルメントパネル１４に配設する構成としたが、これに限られず、ドアのアームレストに設けてもよく、必要に応じて任意の位置に配設することができる。また、手動スイッチ１５に代えてボデーＥＣＵなどの電子制御ユニットからスイッチングユニット２７を制御する構成としてもよい。
【００６８】
（５）スイッチングユニットの内部にスイッチング素子２８及びメカニカルリレー４１の双方が収容される構成としてもよい。
【００６９】
（６）ワイヤーハーネスは、ゴム製のチューブや合成樹脂製のコルゲートチューブ等の保護部材を備えるものであってもよい。例えば、仮巻状態の電線束をコルゲートチューブ等の保護部材に挿通してテープ等の結束部材を本巻き状態に巻き付けるようにしてもよい。
【００７０】
（７）ワイヤーハーネスに樹脂製や金属製等の棒状部材（添え木）を沿わせ、この棒状部材にスイッチングユニットを取り付けるようにしてもよい。
【００７１】
（８）スイッチングユニット２７，４０は、車両１２の車室１３に配されていたが、これに限られず、車両１２の任意の場所に配置することができる。例えば、スイッチングユニット２７，４０をエンジンルーム内に配してもよい。
【００７２】
（９）上記実施形態では、１つの第１電装品２０に対して、１つのスイッチングユニット２７，４０を有する構成であったが、これに限らず、１つの第１電装品２０に対して、当該第１電装品２０を共にオンオフ可能な複数のスイッチングユニットを有する構成としてもよい。また、複数の第１電装品２０をオンオフ可能な１つのスイッチングユニットを有する構成としてもよい。
【符号の説明】
【００７３】
１０…ワイヤーハーネスシステム
１１…ワイヤーハーネス
１２…車両
１３…車室
１５…手動スイッチ
１７…電源
１８…電気接続箱
１９…スイッチング素子
２０…第１電装品
２１…シートヒータ
２２…後部座席用ルームライト
２３…第２電装品
２４…テールライト
２５（２５Ａ，２５Ｂ）…テープ（結束部材）
２６…ヒューズ
２７（２７Ａ，２７Ｂ），４０…スイッチングユニット
２８…スイッチング素子
２９，４２…ユニット本体
３０，４３…回路基板
３４，５０…嵌合部
３６，５２…ケース
３７，５４…係止部
３８，３８，５５，５５…一対の係止片
３９，５６…凹状面
４１…メカニカルリレー（スイッチング素子）
【図１】
2014060856.tif 000003
【図２】
2014060856.tif 000004
【図３】
2014060856.tif 000005
【図４】
2014060856.tif 000006
【図５】
2014060856.tif 000007
【図６】
2014060856.tif 000008
【図７】
2014060856.tif 000009
【図８】
2014060856.tif 000010
【図９】
2014060856.tif 000011
【図１０】
2014060856.tif 000012
【図１１】
2014060856.tif 000013
【図１２】
2014060856.tif 000014
【図１３】
2014060856.tif 000015
【図１４】
2014060856.tif 000016
【図１５】
2014060856.tif 000017
【図１６】
2014060856.tif 000018
【図１７】
2014060856.tif 000019
【図１８】
2014060856.tif 000020
【図１９】
2014060856.tif 000021
【図２０】
2014060856.tif 000022
【図２１】
2014060856.tif 000023
【図２２】
2014060856.tif 000024
【図２３】
2014060856.tif 000025